(57)【要約】      （修正有）【課題】服等の装着対象に装着された状態で、装飾部の姿勢を安定して保持し、高い装飾効果を発揮できる装飾品を提供する。【解決手段】装飾品は、装飾部９のフレーム５の背面側には貫通用ピン２１及び回転防止ピン２３Ａ、２３Ｂが設けられている。貫通用ピン２１は、服等の装着対象への装着時に、当該装着対象を貫通する。回転防止ピン２３Ａ、２３Ｂは、貫通用ピン２１の周囲に設けられ、装着時に装着対象に突き刺さり、貫通用ピン２１を中心としたフレーム５の回転を防止する。【選択図】図２
0003218259.tif 000002
【実用新案登録請求の範囲】
【請求項１】
装着対象に着脱可能に装着される装飾品であって、
前記装着対象を貫通する貫通用ピンと、
前記装着対象に突き刺さる回転防止ピンと、
前記貫通用ピンの先端を挿入して固定可能な孔を備え、前記装着時において前記貫通用ピンの基部の周辺部との間に前記装着対象を挟み込んで当該装飾品を前記装着対象に固定するためのキャッチ部と
を有し、
前記装着対象を挟み込まずに前記孔に前記貫通用ピンを挿着した状態で、前記回転防止ピンの先端が前記キャッチ部に当接可能に構成されている
装飾品。
【請求項２】
前記貫通用ピンの先端方向から見て、当該貫通用ピンに対して点対称の位置にそれぞれ１つの前記回転防止ピンが設けられている
請求項１に記載の装飾品。
【請求項３】
前記装飾部は、
フレームと、
前記フレームに揺動可能に取り付けられた装飾本体と
を有する
請求項１又は請求項２に記載の装飾品。
【考案の詳細な説明】
【技術分野】
【０００１】
本考案は、ブローチ等の装飾品に関する。
【背景技術】
【０００２】
ブローチ等の装飾品は、例えば、服等の表面に装飾部を位置させ、装飾部から突き出たピンを服に貫通させ、服の裏側においてキャッチでピンの先端を受けて使用される。
このような従来のピンタイプの装飾品は、１本のピンを備えている。
【特許文献１】実開平５−４６３０６号公報
【考案の開示】
【考案が解決しようとする課題】
【０００３】
しかしながら、上述した従来のピンタイプの装飾品は、１本のピンで装飾品を服等に保持しているため、装着中に使用者の動き等により装飾部が回転して、本来の姿勢に保持されず、装飾効果が低下するという問題がある。
【０００４】
本考案は、上述した従来技術の問題点に鑑みてなされ、服等の装着対象に装着された状態で、装飾部の姿勢を安定して保持し、高い装飾効果を発揮できる装飾品を提供することを目的とする。
【課題を解決するための手段】
【０００５】
上述した従来技術の問題点を解決し、上述した目的を達成するため、本考案の装飾品は、装着対象に着脱可能に装着される装飾品であって、前記装着対象を貫通する貫通用ピンと、前記装着対象に突き刺さる回転防止ピンと、前記貫通用ピンの先端を挿入して固定可能な孔を備え、前記装着時において前記貫通用ピンの基部の周辺部との間に前記装着対象を挟み込んで当該装飾品を前記装着対象に固定するためのキャッチ部とを有し、前記装着対象を挟み込まずに前記孔に前記貫通用ピンを挿着した状態で、前記回転防止ピンの先端が前記キャッチ部に当接可能に構成されている。
【０００６】
この構成によれば、装着時に装着対象に突き刺さる回転防止ピンを設けたことで、使用者の動きに応じた力を受けた場合でも、貫通用ピンを中心とした装飾品の回転を回転防止ピンによって止めることができる。
また、この構成によれば、装着対象の厚みが薄い場合には、回転防止ピンの先端が装着対象を介してキャッチ部を押圧し、それに応じて生じる摩擦力により、高い回転防止機能が発揮される。
【０００７】
好適には、前記貫通用ピンの先端方向から見て、当該貫通用ピンに対して点対称の位置それぞれ１つの前記回転防止ピンが設けられている。
【０００８】
この構成によれば、装飾品の貫通用ピンを中心とした回転力が、点対称に配置された一対の回転防止ピンに同程度に加わり、バランスよく回転を抑制できる。
【０００９】
好適には、前記装飾部は、フレームと前記フレームに揺動可能に取り付けられた装飾本体とを有する。
【００１０】
この構成によれば、装飾対象に装着された装飾体の姿勢が変わらないため、装飾本体をフレームに対して設計通りに安定して揺動させることができる。
【考案の効果】
【００１１】
本考案によれば、服等の装着対象に装着された状態で、装飾部の姿勢を安定して保持し、高い装飾効果を発揮できる装飾品を提供することができる。
【図面の簡単な説明】
【００１２】
【図１】図１は、本考案の実施形態に係わる装飾品の装飾部の正面図である
【図２】図２は、本考案の実施形態に係わる装飾品の装飾部の背面図である。
【図３】図３は、図２に示す装飾部を背面斜め方向から見た図である。
【図４】図４は、図２に示す装飾部と、挿着前のキャッチ部とを平面方向から見た図である。
【図５】図５は、図４に示すキャッチ部を装飾部に装着される側から見た図である。
【図６】図６は、装着対象を挟み込まずに、キャッチ部の孔に貫通用ピンの先端を挿着した状態を側面方向から見た図である。
【図７】図７は、図６に示す状態におけるキャッチ部と、貫通用ピンと、回転防止ピンとの側面方向から見た位置関係を説明するための図である。
【図８】図８は、装着対象を挟み込んで、キャッチ部の孔に貫通用ピンの先端を挿着した状態を側面方向から見た図である。
【考案を実施するための最良の形態】
【００１３】
以下、本考案の実施形態に係る装飾品を、図面を参照しながら説明する。
図１に示すように、装飾品１は、例えば、略四つ葉の形状のフレーム５の中央に、揺動可能に装飾本体７を位置させた装飾部９を有する。
【００１４】
また、図２に示すように、装飾品１は、装飾部９のフレーム５の背面側には貫通用ピン２１及び回転防止ピン２３Ａ，２３Ｂが設けられている。
貫通用ピン２１及び回転防止ピン２３Ａ，２３Ｂは、フレーム５の正面に対して背面方向（Ｚ１方向）延びている。
貫通用ピン２１の長さは、例えば約８ｍｍであり、回転防止ピン２３の約３倍である。
【００１５】
貫通用ピン２１は、服等の装着対象への装着時に、当該装着対象を貫通する。
回転防止ピン２３は、貫通用ピン２１の周囲に設けられ、装着時に装着対象に突き刺さり、貫通用ピン２１を中心とした装飾品１の回転を防止する。
【００１６】
図２〜図４に示すように、回転防止ピン２３Ａ，２３Ｂは、貫通用ピンの先端方向（Ｚ２方向）から見て、貫通用ピン２１に対して点対称の位置している。
また、回転防止ピン２３Ａ，２３Ｂは、Ｙ１−Ｙ２方向の同じ位置にあり、それらを結ぶ仮想線２４は、装着時に略水平方向に平行となる。
【００１７】
図２に示すように、回転防止ピン２３Ａ，２３Ｂは、貫通用ピン２１に対してＹ１方向に位置する。これにより、装飾品１の装着時において、貫通用ピン２１の上方に回転防止ピン２３Ａ，２３Ｂが位置する。
【００１８】
また、貫通用ピン２１は、装飾品１全体の重心に対して、装着時に上方向に位置するように設けられている。
【００１９】
図１に示すように、フレーム５には、装着対象に装着された状態で、Ｘ１−Ｘ２方向（装着時の水平方向）に沿って２つの丸環が設けられている。また、装飾本体７にも同様に、水平方向に沿って２つの丸環が設けられている。フレーム５の丸環と装飾本体７の丸環とがダイヤモンドの両側で係合することで、使用者の動きに応じて、装飾本体７がフレーム５に対して揺動する。
このとき、図１に示すように、フレーム５の２つの丸環、並びに装飾本体７の２つの丸環をそれぞれ結ぶ仮想線１９が、装着時に水平であることが、滑らかの揺動を持続させるために重要である。
【００２０】
図５に示すように、図４に示すキャッチ部１３の装飾部１１に装着される側の凸面４３には、孔４１が形成されている。
孔４１は、貫通用ピン２１の先端側を挿着して固定可能な形状を有している。孔４１の深さは、例えば、貫通用ピン２１の先端の約１〜１０ｍｍが挿入可能な長さである。
【００２１】
図８に示すように、装飾品１を装着対象６０に装着した装着時において、キャッチ部１３は、貫通用ピン２１の基部の周辺部との間で装着対象６０を厚さ方向から挟み込むことで、装飾品１を装着対象６０に固定させる。
【００２２】
例えば、図６に示すように、装飾品１は、装着対象６０を挟み込まずにキャッチ部１３の孔４１に貫通用ピン２１を挿着した状態で、回転防止ピン２３Ａ，２３Ｂの先端がキャッチ部１３に当接可能に構成されている。
【００２３】
具体的には、キャッチ部１３の孔４１は、貫通用ピン２１が延びる方向（Ｚ２方向）に突き出た凸面４３に形成されている。
図６及び図７に示すように、装着対象６０を挟み込まずに孔４１に貫通用ピン２１の先端側を挿着した状態で、回転防止ピン２３Ａ，２３Ｂの先端付近が、凸面４３とその外側領域４５との間に位置する傾斜面４７に係合する。
【００２４】
また、装着対象６０を挟み込んで、キャッチ部１３の孔４１に貫通用ピン２１の先端付近を挿着すると、側面方向から見ると、図８に示すような状態になる。
【００２５】
以下、装飾品１を装着対象６０に装着する手順と作用を説明する。
使用者は、例えば、図２に示す貫通用ピン２１が上側に位置し、且つ回転防止ピン２３Ａ，２３Ｂを結ぶ仮想線２４が装着時に水平（服等の装着対象６０の左右方向）になる姿勢を目視で確認する。
その後、使用者は、その姿勢を保ちながら、貫通用ピン２１の先端を装着対象６０の表側から刺し込むように移動し、その過程で回転防止ピン２３Ａ，２３Ｂも装着対象６０に刺し込まれる。
【００２６】
使用者は、貫通用ピン２１が装着対象６０を貫通するまで装飾品１を移動する。
そして、装着対象６０の裏側から、裏側に突き出た貫通用ピン２１の先端を図５に示すキャッチ部１３の凸面４３の孔４１に刺し込んで、装飾部９とキャッチ部１３とを一体化させる。
この状態で、回転防止ピン２３Ａ，２３Ｂは、キャッチ部１３の孔４１に所定の深さまで刺し込まれた状態になっている。
これにより、装飾品１が装着対象６０に装着される。
【００２７】
このような装着状態において、使用者の動きに応じて装飾品１に力が加わった場合に、貫通用ピン２１を中心とした回転力が生じても、回転防止ピン２３Ａ，２３Ｂが装着対象６０に差し込まれているので、装飾品１は装着対象６０に対して回転せず、装着当初の姿勢を安定して保持する。
【００２８】
以上説明したように、装飾品１によれば、装着対象６０に装着された状態で、装飾部９の姿勢を安定して保持し、高い装飾効果を発揮できる装飾品を提供することができる。
すなわち、装飾品１によれば、装着時に装着対象６０に突き刺さる回転防止ピン２３Ａ，２３Ｂを貫通用ピン２１とは別に設けたことで、使用者の動きに応じた力を受けた場合でも、貫通用ピン２１を中心とした装飾品の回転を回転防止ピン２３Ａ，２３Ｂによって止めることができる。
【００２９】
また、装飾品１によれば、装着対象６０の厚みが薄い場合には、回転防止ピン２３Ａ，２３Ｂの先端がキャッチ部１３を押圧することで、それによって生じる摩擦力により、高い回転防止機能が発揮される。
具体的には、装着対象６０の厚みが薄い場合には、回転防止ピン２３Ａ，２３Ｂの先端がキャッチ部１３の凸面４３とその外側領域４５との間の傾斜面４７に係合し、回転防止ピン２３Ａ，２３Ｂの先端が傾斜面４７に沿って移動して変形し、回転防止ピン２３Ａ，２３Ｂの先端付近の側面の一部が傾斜面４７を押圧する。これにより、押圧面積を広くでき、摩擦力を高め、高い回転防止機能を発揮することができる。
【００３０】
また、装飾品１では、図２に示す方向（Ｚ１方向）から見て、貫通用ピン２１に対して点対称の位置に回転防止ピン２３Ａ，２３Ｂが設けられている。そのため、装飾品１の貫通用ピン２１を中心とした回転力が、点対称に配置された一対の回転防止ピン２３Ａ，２３Ｂに同程度に加わり、バランスよく回転を抑制できる。
【００３１】
また、装飾品１では、回転防止ピン２３Ａ，２３Ｂを結ぶ仮想線２４は、装着時に略水平方向に平行となる。そのため、使用者は、装飾品１を装飾対象６０に装着するために、貫通用ピン２１を装飾対象６０に突き刺す際に、回転防止ピン２３Ａ，２３Ｂを結ぶ仮想線２４が水平になる姿勢にすることで、目視により、装飾部１を適切な姿勢に容易にすることができる。
【００３２】
また、装飾品１では、例えば、貫通用ピン２１が、装飾品１全体の重心に対して、装着時に上方向に位置するように設けられている。この構成によれば、装飾品１を貫通用ピン２１を介して装飾対象６０に安定した状態で固定できる。
【００３３】
装飾品１では、回転防止ピン２３Ａ，２３Ｂは、装着時に貫通用ピン２１に対して上方向に位置するように設けられている。この構成によれば、装飾効果が比較的高い、貫通用ピン２１の下側領域を装飾部として使えるため、設計の自由度を高めることができる。
【００３４】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【００３５】
例えば、上述した実施形態では、２本の回転防止ピン２３Ａ，２３Ｂを設けた場合を例示したが、回転防止ピンの数は１つ以上であれば特に限定されない。
また、貫通用ピン及び回転防止ピンの位置、並びに形状等は、図２等に示したもの限定されない。
【００３６】
さらに、装着対象に装着した装飾品１を保持する機能があれば、必ずしもキャッチ部１３を用いてなくてもよい。
また、装飾部９のデザインは図１等に示したものに限定されない。例えば、装飾部９は図１に示すような揺動式のものでなくてもよい。
【産業上の利用可能性】
【００３７】
本考案は、例えば、ブローチ等の装飾品に適用可能である。
【符号の説明】
【００３８】
１…装飾品
５…フレーム
７…装飾本体
９…装飾部
１３…キャッチ部
１９…仮想線
２１…貫通用ピン
２３Ａ，２３Ｂ…回転防止ピン
２４…仮想線
４３…凸面
４５…外側領域
４７…傾斜面
６０…装着対象
【図１】
0003218259.tif 000003
【図２】
0003218259.tif 000004
【図３】
0003218259.tif 000005
【図４】
0003218259.tif 000006
【図５】
0003218259.tif 000007
【図６】
0003218259.tif 000008
【図７】
0003218259.tif 000009
【図８】
0003218259.tif 000010
【手続補正書】
【提出日】平成30年8月3日(2018.8.3)
【手続補正１】
【補正対象書類名】実用新案登録請求の範囲
【補正対象項目名】全文
【補正方法】変更
【補正の内容】
【実用新案登録請求の範囲】
【請求項１】
装着対象に着脱可能に装着される装飾品であって、
前記装着対象を貫通する貫通用ピンと、前記装着対象に突き刺さる回転防止ピンとを有する装飾部と、
前記貫通用ピンの先端を挿入して固定可能な孔を備え、前記装着時において前記貫通用ピンの基部の周辺部との間に前記装着対象を挟み込んで当該装飾品を前記装着対象に固定するためのキャッチ部と
を有し、
前記孔に前記貫通用ピンを挿着した状態で、前記回転防止ピンの先端が前記キャッチ部に当接している
装飾品。
【請求項２】
前記貫通用ピンの先端方向から見て、当該貫通用ピンに対して点対称の位置にそれぞれ１つの前記回転防止ピンが設けられている
請求項１に記載の装飾品。
【請求項３】
前記装飾部は、
フレームと、
前記フレームに揺動可能に取り付けられた装飾本体と
を有する
請求項１又は請求項２に記載の装飾品。
【手続補正２】
【補正対象書類名】明細書
【補正対象項目名】０００５
【補正方法】変更
【補正の内容】
【０００５】
上述した従来技術の問題点を解決し、上述した目的を達成するために、本発明の考案は、装着対象に着脱可能に装着される装飾品であって、前記装着対象を貫通する貫通用ピンと、前記装着対象に突き刺さる回転防止ピンとを有する装飾部と、前記貫通用ピンの先端を挿入して固定可能な孔を備え、前記装着時において前記貫通用ピンの基部の周辺部との間に前記装着対象を挟み込んで当該装飾品を前記装着対象に固定するためのキャッチ部と
を有し、前記孔に前記貫通用ピンを挿着した状態で、前記回転防止ピンの先端が前記キャッチ部に当接している。